(57)【特許請求の範囲】
【請求項１】
ベッドごとに設置されて患者が看護師を呼び出すためのナースコール子機と、前記ナースコール子機による呼び出しを通知する廊下灯と、前記ナースコール子機からの呼び出しに看護師が応答するためのナースコール親機と、前記ナースコール子機と前記ナースコール親機の間の通信を制御する制御装置とを有し、
前記ナースコール親機が、前記制御装置と通信する親機本体と、患者情報を表示するための表示装置とで構成され、
前記表示装置が、無停電電源装置が接続されたパーソナルコンピュータから成り、前記無停電電源装置は、停電が所定時間継続したら前記パーソナルコンピュータを停止させるための断信号を出力し、復電後には前記パーソナルコンピュータを起動させる起動信号を出力する復電制御部を備えて成るナースコールシステムであって、
前記断信号出力後に復電した際に、無停電電源装置バッテリーの残容量が第１の所定の値未満である場合、前記復電制御部が出力する起動信号は、前記パーソナルコンピュータを省電力モードで立ち上げる省電力起動信号であることを特徴とするナースコールシステム。
【請求項２】
前記パーソナルコンピュータは、前記省電力起動信号を受けたら前記親機本体に対して省電力起動通知信号を送信し、
前記親機本体は、前記省電力起動通知信号を受けて、前記パーソナルコンピュータが省電力動作モードであることを表示する表示部を有することを特徴とする請求項１記載のナースコールシステム。
【請求項３】
前記パーソナルコンピュータは、省電力モードで起動した場合、省電力動作モードであることを表示する表示部を有することを特徴とする請求項１又は２記載のナースコールシステム。
【請求項４】
前記パーソナルコンピュータは、前記省電力起動信号を受けたら前記親機本体に対して省電力起動通知信号を送信し、
前記親機本体は、前記省電力起動通知信号を受けて、前記パーソナルコンピュータとの通信を行わない単独動作モードへ切替を行う切換制御部を有することを特徴とする請求項１乃至３の何れかに記載のナースコールシステム。
【請求項５】
前記無停電電源装置は、前記パーソナルコンピュータに前記省電力起動信号を送信する場合、前記制御装置に対しても前記省電力起動信号を送信し、
前記制御装置は、前記省電力起動信号を受けて前記親機本体に対して省電力起動通知信号を送出する切換制御部を有し、
前記親機本体は、前記省電力起動通知信号を受けて、前記パーソナルコンピュータとの通信を行わない単独動作モードへ切替を行う切換制御部を有することを特徴とする請求項１乃至３の何れかに記載のナースコールシステム。
【請求項６】
前記無停電電源装置の復電制御部は、復電時の無停電電源装置バッテリーの残容量が前記第１の所定の値より少ない第２の所定の値未満であれば、復電しても前記パーソナルコンピュータに省電力起動信号等の起動信号を送信しないことを特徴とする請求項１乃至５の何れかに記載のナースコールシステム。
【発明の詳細な説明】
【技術分野】
【０００１】
本発明はナースコールシステムに関し、特にパーソナルコンピュータをナースコール親機に使用し、更にそのパーソナルコンピュータに無停電電源装置が接続されたナースコールシステムに関する。
【背景技術】
【０００２】
従来より、停電時でも患者からの呼び出しに対して応答を可能とするために非常用バッテリーを備えたナースコールシステムがある（例えば、特許文献１参照）。
一方で、ナースコールシステムでは、ナースコール親機の一部である患者情報を表示する表示装置として、パーソナルコンピュータを使用したものが普及している（例えば、特許文献２参照）。
【先行技術文献】
【特許文献】
【０００３】
【特許文献１】特開２０００−３０８２７８号公報
【特許文献２】特開２００７−９６５００号公報
【発明の概要】
【発明が解決しようとする課題】
【０００４】
上記ナースコールシステムに使用されるパーソナルコンピュータは、無停電電装置に接続されて、停電が発生しても他のナースコールシステムと連動して動作を継続する。
しかしながら、無停電電源装置は単純にオン／オフの制御信号を出すだけで、パーソナルコンピュータの動作形態、例えば省電力モード動作等を制御することはなかったし、無停電電源装置のバッテリー残量を加味してパーソナルコンピュータを制御することもなかった。
そのため、停電が続いてシャットダウン制御（オフ制御）後に復電してパーソナルコンピュータを立ち上げた後、直ぐに停電が再発生する等給電が安定しない場合は、無停電電源装置を備えていても、パーソナルコンピュータへの電源給電が止まってしまい、パーソナルコンピュータの破損に至る場合があった。
【０００５】
そこで、本発明はこのような問題点に鑑み、非常用電源装置のバッテリー残容量に応じてナースコール親機の一部として使用するパーソナルコンピュータの起動形態を制御し、パーソナルコンピュータの破損を防止できるナースコールシステムを提供することを目的としている。
【課題を解決するための手段】
【０００６】
上記課題を解決する為に、請求項１の発明は、ベッドごとに設置されて患者が看護師を呼び出すためのナースコール子機と、ナースコール子機による呼び出しを通知する廊下灯と、ナースコール子機からの呼び出しに看護師が応答するためのナースコール親機と、ナースコール子機とナースコール親機の間の通信を制御する制御装置とを有し、ナースコール親機が、制御装置と通信する親機本体と、患者情報を表示するための表示装置とで構成され、表示装置が、無停電電源装置が接続されたパーソナルコンピュータから成り、無停電電源装置は、停電が所定時間継続したらパーソナルコンピュータを停止させるための断信号を出力し、復電後にはパーソナルコンピュータを起動させる起動信号を出力する復電制御部を備えて成るナースコールシステムであって、断信号出力後に復電した際に、無停電電源装置バッテリーの残容量が第１の所定の値未満である場合、復電制御部が出力する起動信号は、パーソナルコンピュータを省電力モードで立ち上げる省電力起動信号であることを特徴とする。
この構成によれば、断信号送出後に復電しても、無停電電源装置のバッテリー残容量が十分でない場合は、表示装置は省電力モードで起動する。そのため、復電直後に再度停電が発生した場合等、無停電電源装置のバッテリーの消耗を防ぐことができ、復電して表示装置を立ち上げた後に再度停電が発生するような給電が安定しない場合でも表示装置の破損を防ぐことができる。
尚、省電力モードとは、パーソナルコンピュータの表示部のみ起動しない動作、或いはクロック周波数を低くして消費電力を削減する等の状態で動作するモードをいう。
【０００７】
請求項２の発明は、請求項１に記載の構成において、パーソナルコンピュータは、省電力起動信号を受けたら親機本体に対して省電力起動通知信号を送信し、親機本体は、省電力起動通知信号を受けて、パーソナルコンピュータが省電力動作モードであることを表示する表示部を有することを特徴とする。
この構成によれば、省電力モードで起動したことを親機本体が表示するので、使用する看護師等は、表示装置の表示が停止しているような状態でも故障していないことを認識できる。
【０００８】
請求項３の発明は、請求項１又は２に記載の構成において、パーソナルコンピュータは、省電力モードで起動した場合、省電力動作モードであることを表示する表示部を有することを特徴とする。
この構成によれば、省電力モードで起動したことを表示装置自身が表示するので、使用する看護師等は、表示装置の表示が停止しているような状態でも故障していないことを認識できる。
【０００９】
請求項４の発明は、請求項１乃至３の何れかに記載の構成において、パーソナルコンピュータは、省電力起動信号を受けたら親機本体に対して省電力起動通知信号を送信し、親機本体は、省電力起動通知信号を受けて、パーソナルコンピュータとの通信を行わない単独動作モードへ切替を行う切換制御部を有することを特徴とする。
この構成によれば、表示装置が省電力モードで起動した場合、親機本体は表示装置との通信を行わない単独動作モードに切り替わる。そのため、表示装置の動作モード状態に関わらず患者からの呼び出しに対して遅滞なく応答することができる。
【００１０】
請求項５の発明は、請求項１乃至３の何れかに記載の構成において、無停電電源装置は、パーソナルコンピュータに省電力起動信号を送信する場合、制御装置に対しても省電力起動信号を送信し、制御装置は、省電力起動信号を受けて親機本体に対して省電力起動通知信号を送出する切換制御部を有し、親機本体は、省電力起動通知信号を受けて、パーソナルコンピュータとの通信を行わない単独動作モードへ切替を行う切換制御部を有することを特徴とする。
この構成によれば、表示装置が省電力モードで起動した場合、制御装置から親機本体に対し動作モード変更信号が送出され、親機本体は単独動作モードへ切り替わる。そのため、表示装置の動作状態に関わらず患者からの呼び出しに対して遅滞なく応答することができる。
【００１１】
請求項６の発明は、請求項１乃至５の何れかに記載の構成において、無停電電源装置の復電制御部は、復電時の無停電電源装置バッテリーの残容量が第１の所定の値より少ない第２の所定の値未満であれば、復電してもパーソナルコンピュータに省電力起動信号等の起動信号を送信しないことを特徴とする。
この構成によれば、無停電電源装置のバッテリー残量が、第１の所定の値より更に少ない第２の所定の値未満である場合れば、復電しても表示装置を起動しない。よって、復電直後に再度停電が発生した場合でも表示装置の破損を防ぐことができる。
【発明の効果】
【００１４】
本発明によれば、無停電電源装置が断信号送出後に復電しても、無停電電源装置のバッテリー残容量が十分でない状態の場合は、表示装置は省電力モードで起動する或いは起動しない。そのため、復電直後に再度停電が発生した場合等、無停電電源装置バッテリーの消耗を防ぐことができ、復電して表示装置を立ち上げた後に再度停電が発生するような給電が安定しない場合でも表示装置の破損を防ぐことができる。
【図面の簡単な説明】
【００１５】
【図１】本発明に係るナースコールシステムの一例を示す構成図であり、各機器の要部回路をブロック図で示している。
【図２】停電及び復電時の無停電電源装置の制御信号の流れを示すシーケンス図である。
【図３】復電時の無停電電源装置の制御信号の他の流れを示すシーケンス図である。
【発明を実施するための形態】
【００１６】
以下、本発明を具体化した実施の形態を、図面に基づいて詳細に説明する。図１は、本発明に係るナースコールシステムの一例を示す構成図であり、個々の機器の要部を回路ブロック図で示している。図１に示すように、１はベッドごとに設置されて患者が看護師を呼び出すためのナースコール子機、２は病室毎に廊下に設置され、ナースコール子機１による呼び出しを通知する廊下灯、３はナースステーションに設置されてナースコール子機１からの呼び出しに看護師が応答するためのナースコール親機、４はナースコール子機１とナースコール親機３の間の通信を制御する制御装置、５は患者情報を蓄積したナースコールサーバ、７，８は無停電電源装置（第１無停電電源装置７、第２無停電電源装置８）である。
【００１７】
ナースコール子機１は伝送線Ｌ１により病室毎に廊下灯２に接続され、廊下灯２は廊下灯幹線Ｌ２により制御装置４に接続されている。ナースコール親機３は、伝送線Ｌ３により制御装置４に接続され、ナースコールサーバ５は伝送線Ｌ４によりナースコール親機３に接続されている。
【００１８】
ナースコール子機１は、壁面に設置されて通話するためのプレート子機１１と、プレート子機１１に接続された呼出ボタン１２とで構成され、プレート子機１１はマイク及びスピーカ（図示せず）が組み込まれた通話回路１３、廊下灯２と通信するための子機ＩＦ１４、プレート子機１１を制御する子機ＣＰＵ１５等を備えている。そして、呼出ボタン１２の押下操作により呼出信号が廊下灯２に出力される。
【００１９】
廊下灯２は、ナースコール子機１からの呼び出しを発光部の点灯等で看護師に通知するための通知部２１、ナースコール子機１及び制御装置４と通信するための廊下灯ＩＦ２２、廊下灯２を制御する廊下灯ＣＰＵ２３等を備え、ナースコール子機１からの呼出信号を制御装置４に伝送する。
【００２０】
ナースコール親機３は、制御装置４を介して廊下灯２から伝送される呼出信号を受けて応答するための親機本体３０と、ナースコールサーバ５に接続されて患者情報を入手して表示するための表示装置３１とで構成されている。
【００２１】
親機本体３０は、呼出情報等各種情報を表示するＬＣＤからなる表示部３２、呼び出しに応答するための通話回路３３、制御装置４と通信するための親機ＩＦ３４、表示装置３１と通信するための本体ＩＦ３５、親機本体３０を制御する親機ＣＰＵ３６等を備えている。
【００２２】
表示装置３１はパーソナルコンピュータで構成され、患者情報等を表示するモニタ３７、呼出履歴や患者情報等を記憶するメモリ３８、親機本体３０、ナースコールサーバ５、及び第１無停電電源装置７と通信する為の表示装置ＩＦ３９、表示装置３１を制御する表示装置ＣＰＵ４０、表示装置３１が省電力モード状態であることを表示するＬＥＤ等から成る表示部４１等を備えている。
【００２３】
制御装置４は、廊下灯２、ナースコール親機３、及び第１無停電電源装置７と通信するための制御装置ＩＦ４４、制御装置４を制御する制御装置ＣＰＵ４５等を備えている。尚、制御装置４と第１無停電電源装置７とは伝送線Ｌ５により接続されている。
【００２４】
ナースコールサーバ５は、表示装置３１と同様にパーソナルコンピュータで構成され、患者情報を蓄積するメモリ５１、患者情報等を表示するモニタ５２、表示装置３２及び第２無停電電源装置８と通信するためのサーバＩＦ５３、ナースコールサーバ５を制御するサーバＣＰＵ５４等を備えている。
【００２５】
また、第１無停電電源装置７は、電源を供給するための電源線Ｌ６及び通信を行う信号線Ｌ７により表示装置３１に接続され、第２無停電電源装置８は、電源を供給するための電源線Ｌ８及び通信を行うための信号線Ｌ９によりナースコールサーバ５に接続されている。
そして、第１無停電電源装置７は、商用電源により充電して蓄電するバッテリー７１と、バッテリー７１の充電容量を管理して商用電源の状態に応じて表示装置３１に制御信号を出力する電源ＣＰＵ７２、表示装置３２と通信するための電源ＩＦ７３等を備えている。尚、第２無停電電源装置８も第１無停電電源装置７と同様な構成を備えている。
【００２６】
このように構成されたナースコールシステムの動作を以下説明する。ただし、ナースコール子機１の呼出操作を受けてナースコール親機３から応答し、通話する動作は従来と同様であるため説明を省略し、ここでは停電及び復電した場合の第１無停電電源装置７の制御動作を中心に説明する。図２は、停電及び復電時の第１無停電電源装置７による制御の流れを示すシーケンス図を示し、この図２に基づいて説明する。
【００２７】
まず、商用電源が第１の無停電電源装置７に電源を供給している通常状態では、第１無停電電源装置７から表示装置３１に、電源線Ｌ６を介して商用電源が供給される。そして、商用電源の停電が発生すると、電源ＣＰＵ７２が停電を検知し、バッテリーモードに切り替えてバッテリー７１から電力が供給され、表示装置３１の動作が継続される。
尚、親機本体３０、制御装置４、廊下灯２、ナースコール子機１等は、停電が発生すると、別途設置されている非常用バッテリー（図示せず）から電源が供給され、患者からの呼び出しに対応できるよう構成されている。
【００２８】
そして電源ＣＰＵ７２は、停電が一定時間（例えば５分）継続したら信号線Ｌ７を介してシャットダウン信号（断信号）ｓ１を出力し、表示装置３１を停止させる。
この断信号ｓ１を受信した表示装置３１は、表示装置ＣＰＵ４０が自身をシャットダウンさせると同時に、親機本体３０に対して緊急切換信号ｓ２、及び停電信号ｓ３を送出する。親機本体３０は、親機ＣＰＵ３６が緊急切換信号ｓ２を受けて、表示装置３１との通信を停止して単独動作モードへ移行し、停電信号ｓ３を受けて表示装置３１がシャットダウンしたことを表示部３２に表示させる。この単独動作モードは、親機本体３０と表示装置３１とがデータの送受信を停止するだけで、後述する緊急切換解除信号等の送受信は継続される。
【００２９】
その後、商用電力が復電したら、電源ＣＰＵ７２がバッテリー７１の残量を読み取り、第１の所定の残容量（例えば、バッテリー満充電の５０％容量）以上であれば、電源線Ｌ６を介して電力を供給する。また、信号線Ｌ７を介して表示装置３１に起動信号ｓ４を送信する。
【００３０】
この起動信号ｓ４を受けた表示装置３１は、表示装置ＣＰＵ４０の制御で通常モードで起動する。また、起動後に親機本体３０に対して緊急切換解除信号ｓ５、停電解除信号ｓ６を送信する。
緊急切換解除信号ｓ５を受けた親機本体３０は、親機ＣＰＵ３６の制御により表示装置３１との通信を再開し、更に停電解除信号ｓ６を受けて表示部３２でのシャットダウン表示を終了する。
【００３１】
次に、商用電力が復電した際に、バッテリー７１の残量が第１の所定の残量に達していない場合の動作を、図３のシーケンス図を基に説明する。この図３は、バッテリー７１の残量が第１の所定の残容量より少なく、第２の所定の残容量以上の場合の動作を示している。
【００３２】
復電を検知した電源ＣＰＵ７２は、バッテリー残量を読み取った際に第１の所定の残容量より少ないが第２の所定の残容量（例えば、バッテリー満充電の２０％容量）以上の場合、電源線Ｌ６を介して電力の供給を開始するが、表示装置３１を省電力モードで動作させるための省電力起動信号ｓ１１を出力する。
この省電力起動信号ｓ１１を受信した表示装置３１は、表示装置ＣＰＵ４０がモニタ３７のみ起動しない省電力モードで起動させ、表示部４１を表示動作させる。その後、親機本体３０に対して省電力起動通知信号ｓ１２を送信する。
省電力起動通知信号ｓ１２を受けた親機本体３０は、親機ＣＰＵ３６が表示部３２に表示装置３１が省電力モードで立ち上がった旨を表示する。但し、この場合、表示装置３１との通信は再開しない。
【００３３】
そして、電源ＣＰＵ７２は、現在のバッテリー残容量から第１の所定の容量である５０％残量になるまで充電に要する時間を算出し、その時間が経過したら、表示装置３１に対して通常モードに復帰させるための起動信号ｓ１３を出力する。この信号を受けて、表示装置３１は省電力モードから通常モードに復帰する。この起動信号ｓ１３は、上記図２に示す復電時の起動信号ｓ４と同様の信号であり、その後図２のシーケンス図の流れと同様な制御が実施される。
【００３４】
但し、復電した時点でのバッテリー７１の残容量が、第２の所定の値に満たない場合、電源ＣＰＵ７２は電源線Ｌ６から電力の供給を行わず、バッテリー容量の復帰を待つ。また、表示装置３１に対して制御信号を送信しない。
その後、バッテリー７１の容量が第１の所定の容量まで復帰したら、電源ＣＰＵ７２が起動信号を出力して表示装置３１を通常モードで起動させる。
【００３５】
このように、断信号送出後に復電しても、無停電電源装置７のバッテリー残容量が第１の所定の値に達しない十分でない場合は、表示装置３１は省電力モードで起動するので、復電直後に再度停電が発生した場合等、無停電電源装置７のバッテリー７１の消耗を防ぐことができ、復電して表示装置３１を立ち上げた後に再度停電が発生するような給電が安定しない場合でも、表示装置３１の破損を防ぐことができる。
また、省電力モードで起動したことを親機本体３０或いは表示装置３１自身が表示するので、使用する看護師等は表示装置３１の表示が停止しているような状態でも故障していないことを認識できる。
さらに、表示装置３１が省電力モードで起動した場合、親機本体３０は表示装置３１との通信を行わないので、表示装置３１の動作モード状態に関わらず患者からの呼び出しに対して遅滞なく応答することができる。
また、無停電電源装置７のバッテリー残量が、第１の所定の値より更に少ない第２の所定の値未満であれば、復電しても表示装置３１を起動しないため、復電直後に再度停電が発生した場合でも表示装置３１の破損を防ぐことができる。
【００３６】
尚、上記実施形態では、表示装置３１が親機本体３０に対して省電力起動通知信号等を出力する構成であるが、停電時或いは復電時において親機本体３０と同様に制御装置４も動作を継続しているため、省電力起動通知信号等の信号を制御装置４から親機本体３０に対して送信させても良い。この場合、無停電電源装置７から制御装置４に断信号や省電力起動信号を出力することで容易に実施できる。
また、上記実施形態では、バッテリー残容量が第１の所定値とそれより少ない第２の所定の値の２段階で異なる制御を実施しているが、例えば残容量３０％と１つの閾値を設定して、この値より下回ったら省電力起動等を行わず、復電しても表示装置３１を起動せずに、例えば５０％まで復帰するのを待ち、その後起動信号を出力しても良い。
このような制御により、復電直後に再度停電が発生してバッテリー７１の残量が僅かな状態で無停電電源装置７が動作するような場合が無くなり、バッテリー７１が切れることで表示装置３１が破損する事態を確実に防ぐことができる。そして、充電が行われて所定の容量に到達したら表示装置３１を起動させるので、表示装置３１が停止し続けることがない。
【符号の説明】
【００３７】
１・・ナースコール子機、２・・廊下灯、３・・ナースコール親機、４・・制御装置、５・・ナースコールサーバ、７・・第１無停電電源装置（無停電電源装置）、３０・・親機本体、３１・・表示装置（パーソナルコンピュータ）、３２・・表示部、３６・・親機ＣＰＵ（切換制御部）、３７・・モニタ、３８・・メモリ、４０・・表示装置ＣＰＵ、４１・・表示部、４５・・制御装置ＣＰＵ（切換制御部）、５１・・メモリ、５２・・モニタ、７１・・バッテリー、７２・・電源ＣＰＵ（復電制御部）。
【図１】
0005385186.tif 000002
【図２】
0005385186.tif 000003
【図３】
0005385186.tif 000004